(57)【要約】【課題】人手による膨大な稼動を必要とすることなく、速覧に適した映像又は画像を抽出できること。【解決手段】映像解析部は、映像を解析することで、映像の特徴量を抽出する。入力登録部は、選択された前記映像の特徴量を示す選択特徴量情報を取得する。映像解析部は、抽出した特徴量であって入力登録部が取得した選択特徴量情報が示す特徴量に基づいて、映像から映像の一部又は画像を抽出する。【選択図】図５
2013258638.tif 000002
【特許請求の範囲】
【請求項１】
映像を解析することで、映像の特徴量を抽出する映像解析部と、
選択された前記映像の特徴量を示す選択特徴量情報を取得する特徴量取得部と、
前記映像解析部が抽出した特徴量であって前記特徴量取得部が取得した選択特徴量情報が示す特徴量に基づいて、前記映像から映像の一部又は画像を抽出する表示情報抽出部と、
を備えることを特徴とする情報生成システム。
【請求項２】
予め選択された前記選択特徴量情報を記憶する記憶部を備え、
前記特徴量取得部は、前記記憶部から前記選択特徴量情報を取得することを特徴とする請求項１に記載の情報生成システム。
【請求項３】
前記映像解析部が抽出した特徴量に基づいて、複数の前記映像をグループに分類する分類部を備えることを特徴とする請求項１又は２に記載の情報生成システム。
【請求項４】
前記分類部は、前記複数の映像の一部が属するグループと前記グループ内での映像の順序と、を決定することを特徴とする請求項３に記載の情報生成システム。
【請求項５】
第１の方向で、前記配置決定部が決定したグループを選択できるように映像を配置し、第２の方向で、グループ内での映像の順序で映像を選択できるように映像を配置する表示部を備えることを特徴とする請求項４に記載の情報生成システム。
【請求項６】
映像を解析することで、映像の特徴量を抽出する映像解析部と、
選択された前記映像の特徴量を示す選択特徴量情報を取得する特徴量取得部と、
前記映像解析部が抽出した特徴量であって前記特徴量取得部が取得した選択特徴量情報が示す特徴量に基づいて、前記映像から映像の一部又は画像を抽出する表示情報抽出部と、
を備えることを特徴とする情報生成装置。
【請求項７】
情報生成装置における情報生成方法であって、
映像を解析することで、映像の特徴量を抽出する映像解析過程と、
選択された前記映像の特徴量を示す選択特徴量情報を取得する特徴量取得過程と、
前記映像解析過程で抽出された特徴量であって前記特徴量取得過程で取得された選択特徴量情報が示す特徴量に基づいて、前記映像から映像の一部又は画像を抽出する表示情報抽出過程と、
を有することを特徴とする情報生成方法。
【請求項８】
映像分析装置のコンピュータに、
映像を解析することで、映像の特徴量を抽出する映像解析手段、
選択された前記映像の特徴量を示す選択特徴量情報を取得する特徴量取得手段、
前記映像解析手段で抽出された特徴量であって前記特徴量取得手段で取得された選択特徴量情報が示す特徴量に基づいて、前記映像から映像の一部又は画像を抽出する表示情報抽出手段と、
を実行させるための情報生成プログラム。
【発明の詳細な説明】
【技術分野】
【０００１】
本発明は、情報生成システム、情報生成装置、情報生成方法、及び情報生成プログラムに関する。
【背景技術】
【０００２】
家庭用テレビをＬＡＮケーブルや光ケーブルなどと繋げることで、双方向の情報通信を行って映像を配信及び受信する技術は既に確立されている。
また、特許文献１や特許文献２などに記載の技術は映像を自動的に解析して映像を早回しなどすることなくダイジェストシーンを自動編集することが可能であり、また特許文献３や特許文献４などに記載の技術は映像中でより被写体がより大きく映っている瞬間を取り出し、１枚の代表画像として抽出することも可能である。
また特許文献５記載の技術を用いれば映像中のシーン毎に視聴者が感じる感情を解析することができ、特許文献６記載の技術を用いれば映像中のシーン毎に音楽があるかどうかを判別でき、特特許文献７や特許文献８記載の技術を用いれば映像中に文字が出現するシーンを判別することができる。
【先行技術文献】
【特許文献】
【０００３】
【特許文献１】特開２００３−３１６３７８号公報
【特許文献２】特開平３−８０７８２号公報
【特許文献３】特開２００６−１９０１７６号公報
【特許文献４】特開２００６−２４４０７４号公報
【特許文献５】特開２００９−２５１４６９号公報
【特許文献６】特開平１０−１８７１８２号公報
【特許文献７】特開平１１−１７８００７号公報
【特許文献８】特開２０００−１９４８５１号公報
【発明の概要】
【発明が解決しようとする課題】
【０００４】
しかしながら、上記特許文献１や特許文献２などに記載の技術による「音声の盛り上がり」を検出する技術を用いて生成されたダイジェストシーンは、映像によっては例えば映画のエンドロールの音楽に強く反応してしまい、その部分のみからダイジェストを生成したり、爆発音の多い映画であれば爆発音だけを抽出してしまったりすることがある。大量の映像の中から映像を検索したいユーザには、内容を速覧させる必要があり、情報に偏りのあるダイジェスト映像は速覧には不向きである。
しかし、映像のどの部分を抽出することがダイジェストとして優れているかは映像の種類に大きく依存してしまい、全てを自動化することは困難である。一方でダイジェストの生成作業を全て人手で行ってしまうと膨大な稼動を必要としてしまう。
【０００５】
本発明は上記の点に鑑みてなされたものであり、人手による膨大な稼動を必要とすることなく、速覧に適した映像又は画像を抽出できる情報生成システム、情報生成装置、情報生成方法、及び情報生成プログラムを提供する。
【課題を解決するための手段】
【０００６】
（１）本発明は上記の課題を解決するためになされたものであり、本発明の一態様は、映像を解析することで、映像の特徴量を抽出する映像解析部と、選択された前記映像の特徴量を示す選択特徴量情報を取得する特徴量取得部と、前記映像解析部が抽出した特徴量であって前記特徴量取得部が取得した選択特徴量情報が示す特徴量に基づいて、前記映像から映像の一部又は画像を抽出する表示情報抽出部と、を備えることを特徴とする情報生成システムである。
【０００７】
（２）予め選択された前記選択特徴量情報を記憶する記憶部を備え、前記特徴量取得部は、前記記憶部から前記選択特徴量情報を取得することを特徴とする。
【０００８】
（３）また、本発明の一態様は、上記の情報生成システムにおいて、前記映像解析部が抽出した特徴量に基づいて、複数の前記映像をグループに分類する分類部を備えることを特徴とする。
【０００９】
（４）また、本発明の一態様は、上記の情報生成システムにおいて、前記分類部は、前記複数の映像の一部が属するグループと前記グループ内での映像の順序と、を決定することを特徴とする。
【００１０】
（５）また、本発明の一態様は、上記の情報生成システムにおいて、第１の方向で、前記配置決定部が決定したグループを選択できるように映像を配置し、第２の方向で、グループ内での映像の順序で映像を選択できるように映像を配置する表示部を備えることを特徴とする。
【００１１】
（６）また、本発明の一態様は、映像を解析することで、映像の特徴量を抽出する映像解析部と、選択された前記映像の特徴量を示す選択特徴量情報を取得する特徴量取得部と、前記映像解析部が抽出した特徴量であって前記特徴量取得部が取得した選択特徴量情報が示す特徴量に基づいて、前記映像から映像の一部又は画像を抽出する表示情報抽出部と、を備えることを特徴とする情報生成装置である。
【００１２】
（７）また、本発明の一態様は、情報生成装置における情報生成方法であって、映像を解析することで、映像の特徴量を抽出する映像解析過程と、選択された前記映像の特徴量を示す選択特徴量情報を取得する特徴量取得過程と、前記映像解析過程で抽出された特徴量であって前記特徴量取得過程で取得された選択特徴量情報が示す特徴量に基づいて、前記映像から映像の一部又は画像を抽出する表示情報抽出過程と、を有することを特徴とする情報生成方法である。
【００１３】
（８）また、本発明の一態様は、映像分析装置のコンピュータに、映像を解析することで、映像の特徴量を抽出する映像解析手段、選択された前記映像の特徴量を示す選択特徴量情報を取得する特徴量取得手段、前記映像解析手段で抽出された特徴量であって前記特徴量取得手段で取得された選択特徴量情報が示す特徴量に基づいて、前記映像から映像の一部又は画像を抽出する表示情報抽出手段と、を実行させるための情報生成プログラムである。
【発明の効果】
【００１４】
本発明によれば、人手による膨大な稼動を必要とすることなく、速覧に適した映像又は画像を抽出できる。
【図面の簡単な説明】
【００１５】
【図１】本発明の実施形態に係る映像配信システムを示す概略図である。
【図２】本実施形態に係る映像の配置を説明するための説明図である。
【図３】本実施形態に係る画面遷移を説明するための説明図である。
【図４】本実施形態に係る映像登録から映像配信までの流れの一例を示すシーケンス図である。
【図５】本実施形態に係る配信装置の構成を示す概略ブロック図である。
【図６】本実施形態に係るオペレータ画面の一例を表す概略図である。
【図７】本実施形態に係るオペレータ画面の別の一例を表す概略図である。
【図８】本実施形態に係る配置決定部の処理を説明する説明図である。
【図９】本実施形態に係る配置決定部の処理を説明する別の説明図である。
【図１０】本実施形態に係る管理テーブルの一例を示す概略図である。
【図１１】本実施形態に係る解析結果情報の一例を示す概略図である。
【図１２】本実施形態に係るダイジェスト管理テーブルの一例を示す概略図である。
【図１３】本実施形態に係る配置情報の一例を示す概略図である。
【図１４】本実施形態に係るダイジェスト映像及び代表画像の登録に関するフローチャートである。
【図１５】本実施形態に係る配置情報の登録に関するフローチャートである。
【図１６】本実施形態に係る制御装置の構成を示す概略ブロック図である。
【発明を実施するための形態】
【００１６】
以下、図面を参照しながら本発明の実施形態について詳しく説明する。
図１は、本発明の実施形態に係る映像配信システムを示す概略図である。この図において、映像配信システムは、配信装置１、ネットワークＮ１、制御装置２、入力装置３、及び表示装置４を具備する。ここで、配信装置１は映像を配信する配信側の装置である。また、制御装置２、入力装置３、及び表示装置４は配信された映像を受信して表示する受信側の装置である。なお、制御装置２、入力装置３、及び表示装置４は、例えば、各家庭内に配置されている。
【００１７】
配信装置１は、入力された映像情報を解析することで、映像の特徴量を複数抽出する。配信装置１は、例えばオペレータから、抽出した特徴量を表すパラメータについて、１又は複数の選択を受け付ける。ここで、オペレータとは、例えば、映像を配信する配信者であり、配信装置１の操作者である。配信装置１は、選択されたパラメータが表す特徴量に基づいて、ダイジェスト映像情報及び代表画像情報を生成する。ここで、ダイジェスト映像情報とは、映像が要約されたダイジェスト映像を表す情報である。また、代表画像情報とは、映像中の代表的な静止画を表す情報である。また、配信装置１は、抽出した特徴量に基づいて、複数の映像情報をカテゴリに分類し、分類した各カテゴリ内における映像の順序（カテゴリ内順序とも称する）を決定する。配信装置１は、分類したカテゴリ、及び、決定したカテゴリ内順序に基づいて、映像の配置を決定し、決定した映像の配置を示す配置情報を生成して記憶する。
配信装置１は、複数の映像各々について、映像情報、生成したダイジェスト映像情報、代表画像情報を記憶する。配信装置１は、制御装置２からの要求に従って、記憶する情報を制御装置２へ配信する。
【００１８】
制御装置２は、例えば、ＳＴＢ（Ｓｅｔ  Ｔｏｐ  Ｂｏｘ）である。制御装置２は、ネットワークＮ１を介して受信した映像情報が表す映像を、表示装置４に表示させる制御を行う。例えば、制御装置２は、配信装置１から受信した配置情報に従って、ダイジェスト映像情報が表すダイジェスト映像、及び、代表画像情報が表す代表画像を、表示装置４に表示させる。また、制御装置２は、利用者からの選択に基づいて、配信装置１へ映像情報を要求する。ここで、利用者とは、例えば、配信者が配信した映像を見る者である。利用者は、入力装置３によって制御装置２を操作し、また、表示装置４を操作する操作者である。制御装置２は、要求の結果、受信した映像情報が表す映像を、表示装置４に表示させる。
なお、入力装置３は、リモートコントロール装置である。利用者は、入力装置３を用いて、制御装置２を遠隔操作する。
【００１９】
表示装置４は、制御装置２からの制御に従って、映像を表示する。図１では、表示装置４は、表示部の中央部分に、ダイジェスト映像Ｄ１１を表示している。また、表示装置４は、ダイジェスト映像Ｄ１１の左側に代表画像Ｐ１６、右側に代表画像Ｐ１２を表示している。ここで、ダイジェスト映像Ｄ１１、代表画像Ｐ１６、及び代表画像Ｐ１２は、それぞれ異なる映像から生成されたものである。
【００２０】
図２は、本実施形態に係る映像の配置を説明するための説明図である。この図において、ｉ行ｊ列に配置された映像は、映像ｉｊで表される。ここで、同じ行の映像は、後述するカテゴリが同じ映像である。また、ｊは、同一カテゴリ内での映像の順序（カテゴリ内順序）を表す。すなわち、制御装置２及び表示装置４は、垂直方向（第１の方向）で、配信装置１が決定したカテゴリを選択できるように映像を配置し、水平方向（第２の方向）で、グループ内での映像の順序で映像を選択できるように映像を配置する。なお、破線で示された映像ｉｊは、映像の配置が循環していることを表す。例えば、第１行（カテゴリＣ１）において、第６列目の映像１６は、カテゴリ内順序が最後の映像である。この場合、映像１６の次のカテゴリ内順序の映像は、映像１１である。換言すれば、カテゴリＣ１のカテゴリ内順序について、映像１１の前の順序の映像は、映像１６である。
【００２１】
映像ｉｊが選択されている場合、表示装置４は、映像ｉｊのダイジェスト映像Ｄｉｊを表示する。また、表示装置４は、映像ｉｊに隣接する映像ｉ（ｊ−１）、ｉ（ｊ＋１）の代表画像Ｐｉ（ｊ−１）、Ｐｉ（ｊ＋１）を表示する。例えば、図１は、図２における映像１１が選択されている場合のものである。つまり、図１の表示装置４は、一点鎖線で囲まれた領域Ｇ１の部分を表示している。このとき、表示装置４は、映像１１に対応するダイジェスト映像Ｄ１１を表示する。同時に表示装置４は、映像１１と同一のカテゴリＣ１で、カテゴリ内順序が隣接する映像１６、１２に対応する代表画像Ｐ１６、Ｐ１２を表示している。
【００２２】
利用者は、例えば、入力装置３の十字キーを押下することによって、押下された方向にある映像を選択する。例えば、映像ｉｊが選択されている状態で、十字キーの上が押下された場合には映像（ｉ＋１）ｊ、下が押下された場合には映像（ｉ−１）ｊが選択されることとなる。また例えば、映像ｉｊが選択されている状態で、十字キーの左が押下された場合には映像ｉ（ｊ−１）、右が押下された場合には映像ｉ（ｊ＋１）が選択されることとなる。
【００２３】
図３は、本実施形態に係る画面遷移を説明するための説明図である。この図は、入力装置３の十字キーの押下に伴う画面遷移であって、表示装置４の画面遷移を表す。
この図において、画面Ｇ１１は、映像１１が選択されている状態の画面である。画面Ｇ１１には、映像１１に対応するダイジェスト映像Ｄ１１と、映像１１のタイトル等のメタデータと、カテゴリ内順序が隣接する映像１６、１２に対応する代表画像Ｐ１６、Ｐ１２とが表示されている。画面Ｇ１２は、画面Ｇ１１の状態から十字キーの右が押下された場合の画面であり、映像１２が選択されている状態の画面である。画面Ｇ１２には、映像１２に対応するダイジェスト映像Ｄ１２と、カテゴリ内順序が隣接する映像１１、１３に対応する代表画像Ｐ１１、Ｐ１３が表示されている。なお、画面Ｇ１２の状態から十字キーの左が押下された場合、画面Ｇ１１が表示される。
画面Ｇ２１は、画面Ｇ１１の状態から十字キーの下が押下された場合の画面であり、映像２１が選択されている状態の画面である。画面Ｇ２１には、映像２１に対応するダイジェスト映像Ｄ２１と、カテゴリ内順序が隣接する映像２７、２２に対応する代表画像Ｐ２７、Ｐ２２が表示されている。なお、画面Ｇ２１の状態から十字キーの上が押下された場合、画面Ｇ１１が表示される。
【００２４】
以上のように、表示装置４は、表示部の中央部分に選択されている（フォーカスの当たっている）映像のダイジェスト映像とタイトル等のメタデータを配置する。表示装置４は、左右に映像がある場合には、矢印を表示してそれを示し、その映像の代表画像を配置する。ここで、表示装置４は、左右（表示部の一方向。水平方向）に同一カテゴリの映像を、並べて配置する。これにより、上下左右などのボタンしか用意されていない入力装置３であっても、利用者は容易に操作でき、所望の映像を迅速に検索することができる。
なお、表示装置４は、上下に映像がある場合に、矢印を表示してそれを示し、その映像の代表画像を配置してもよい。また、表示装置４は、代表画像に代えてダイジェスト映像を表示してもよい。
【００２５】
図４は、本実施形態に係る映像登録から映像配信までの流れの一例を示すシーケンス図である。この図は、配信側（配信装置１）及び、受信側（制御装置２、入力装置３、及び表示装置４）の動作を示す。また、ステップＳ１０１〜Ｓ１０３は、映像配信サービスを開始する前の準備期間Ｔ１に行われる処理である。ステップＳ２０１〜Ｓ２０７は、映像配信サービスを開始した後のサービス期間Ｔ２に行われる処理である。
【００２６】
（ステップＳ１０１）配信装置１には、例えばオペレータによって、映像情報が登録される。その後、ステップＳ１０２へ進む。
（ステップＳ１０２）配信装置１には、例えばオペレータによって、ステップＳ１０１で登録された各映像情報に対して、メタデータが登録される。メタデータには、例えば、映像毎の配信期限、解説テキスト、タイトル、撮影者、著者、年月日、キーワード、又はタグ等が含まれている。なお、ステップＳ１０１とＳ１０２は、同じタイミングで行われてもよい。その後、ステップＳ１０３へ進む。
（ステップＳ１０３）配信装置１は、ステップＳ１０１、Ｓ１０２で登録された情報の自動解析を行い、解析結果を記憶する。例えば、配信装置１は、ステップＳ１０１で登録された映像情報を解析して、各映像情報が表す映像のダイジェスト映像及び代表画像を生成して記憶する。また、配信装置１は、ステップＳ１０３の解析結果に基づいて映像の配置を決定し、決定した映像の配置を示す配置情報を記憶する。その後、ステップＳ２０１へ進む。
【００２７】
（ステップＳ２０１）配信装置１は、後述するステップＳ２０５の要求に基づいて、送信する情報を検索する。例えば、配信装置１は、この要求に含まれる映像識別情報を抽出する。映像識別情報とは、映像を識別する情報である。配信装置１は、抽出した映像識別情報が表す映像のダイジェスト映像情報と、周辺に配置される映像の代表画像情報と、予め記憶する配置情報と、を読み出す。なお、配信装置１は、要求に映像識別情報が含まれていない場合には、映像識別情報を任意に選択してもよいし、要求に含まれるキーワードとメタデータに基づいて映像識別情報を選択してもよい。その後、ステップＳ２０２へ進む。
（ステップＳ２０２）配信装置１は、ステップＳ２０１で検索した情報（配置情報、ダイジェスト映像情報、代表画像情報、映像識別情報等）を、受信側の制御装置２へ送信する。その後、ステップＳ２０３へ進む。
【００２８】
（ステップＳ２０３）制御装置２は、ステップＳ２０２で送信された情報を受信し、受信した情報に従って表示装置４に表示させる（図１、図２、図３参照）。その後、ステップＳ２０４へ進む。
（ステップＳ２０４）利用者は、ステップＳ２０３での表示に基づいて、選択されているダイジェスト映像に対応する映像を視聴するか否かを判断する。この映像を視聴すると判断した場合には、利用者は、入力装置３で「視聴」に対応するキーを押下する。この場合、制御装置２は、入力装置３からの入力に基づいて、選択されているダイジェスト映像に対応する映像識別情報を抽出する。制御装置２は、抽出した映像識別情報を含む視聴映像要求を、配信装置１へ送信する。その後、ステップＳ２０６へ進む。
一方、この映像を視聴しないと判断した場合には、例えば、入力装置３で十字キーを押下することで、利用者は、別の映像を選択する。この場合、制御装置２は、入力装置３からの入力及び配置情報に基づいて、選択された別の映像の映像識別情報を抽出する。その後、ステップＳ２０５へ進む。
（ステップＳ２０５）制御装置２は、ステップＳ２０４で抽出した映像識別情報を含む要求を生成し、生成した要求を配信装置１へ送信する。その後、ステップＳ２０１へ戻る。
【００２９】
（ステップＳ２０６）配信装置１は、ステップＳ２０４で送信された視聴映像要求から、映像識別情報を抽出する。配信装置１は、抽出した映像識別情報が示す映像情報を読み出す。配信装置１は、読み出した映像情報を制御装置２へ送信する。その後、ステップＳ２０７へ進む。
（ステップＳ２０７）制御装置２は、ステップＳ２０６で送信された映像情報を受信し、受信した映像情報が表す映像を、表示装置４に表示させる。
【００３０】
図５は、本実施形態に係る配信装置１の構成を示す概略ブロック図である。この図において、配信装置１は、入力登録部１０１、映像記憶部１０２、映像解析部１０３、配置決定部１０４、解析結果記憶部１０５、表示部１０６、及び通信部１０７を含んで構成される。
【００３１】
入力登録部１０１は、オペレータからの操作内容を示す操作情報、映像情報、及び、メタデータが入力される。入力登録部１０１は、入力された映像情報及びメタデータを、映像記憶部１０２に記憶させる。ここで、映像情報及びメタデータは、管理テーブル（図１０）で管理される。入力登録部１０１は、入力された操作情報を映像解析部１０３及び配置決定部１０４へ出力する。
【００３２】
映像解析部１０３は、入力登録部１０１が入力された操作情報に従って、映像記憶部１０２が記憶する映像情報を解析することで、ダイジェスト映像を生成する。例えば、映像解析部１０３は、対象の映像から、各時刻の音声データ及び画像を抽出する。なお、時刻とは、例えば、映像の開始時点からの経過時間を表す。映像解析部１０３は、抽出した音声データ及び画像に基づいて、各時刻における映像の特徴量を算出する（図１１参照）。
【００３３】
具体的には、映像解析部１０３は、例えば特開２００９−２５１４６９記載の技術を用いて、特徴量として印象寄与度を算出する。具体的には、映像解析部１０３は、印象寄与度として、各時刻の「Ｅｘｃｉｔｉｎｇ」（エキサイティング；興奮する）、「Ｓａｄ」（サッド；哀しい）の値を算出する。また、映像解析部１０３は、特開平１１−１７８００７、又は特開平１０−１８７１８２記載の技術を用いて、特徴量としての「Ｓｕｂｔｉｔｌｅ」を算出する。「Ｓｕｂｔｉｔｌｅ」は、各時刻について、映像情報が表す映像中に文字列が出現しているか否かを表す。また、映像解析部１０３は、例えば特開平１１−１７８００７記載の技術を用いて、特徴量「Ｓｕｂｔｉｔｌｅ」（サブタイトル）を算出する。「Ｓｕｂｔｉｔｌｅ」は、各時刻について、映像情報が表す映像中に文字列（テロップ文字）が出現しているか否かを表す。ここで、テロップ文字とは、映像中に、テレビカメラ等の撮像装置を通さずに写し出される文字をいう。また、映像解析部１０３は、例えば特開平１０−１８７１８２記載の技術を用いて、特徴量としての「Ｍｕｓｉｃ」（ミュージック；音楽）を算出する。「Ｍｕｓｉｃ」は、各時刻について、映像情報が表す映像中に音楽が流れているか否かを表す。
映像解析部１０３は、算出した特徴量を表すパラメータ（単にパラメータとも称する）と、その値と映像の時刻との関係を示す解析結果情報（図１１）を、解析結果記憶部１０５に記憶させる。また、映像解析部１０３は、パラメータを選択させる画面（図６）を表示部１０６に表示させる。
【００３４】
図６は、本実施形態に係るオペレータ画面の一例を表す概略図である。この図の画面は、パラメータを選択させる画面である。この画面は、パラメータとその値を表示する表示領域Ｒ１１、Ｒ１２、パラメータを選択させる選択ボタンの表示領域Ｒ１３、ダイジェスト映像の表示領域Ｒ１４、及び、合計時間Ｔの入力領域Ｒ１５を有する。
表示領域Ｒ１１において、横軸は映像情報の時刻であり、縦軸はパラメータの値である。実線で表されたグラフ（例えば、グラフｖ１１、ｖ１２）は、「Ｅｘｃｉｔｉｎｇ」の値と、その値となった時刻を表す。破線で表されたグラフ（例えば、グラフｖ１３）は、「Ｓａｄ」の値と、その値となった時刻を表す。
表示領域Ｒ１２において、横軸は映像情報の時刻である。表示領域Ｒ１２は、各時刻における「Ｓｕｂｔｉｔｌｅ」及び「Ｍｕｓｉｃ」のパラメータの有無を表す。例えば、右斜め線でハッチングされたグラフ（例えば、グラフｖ１５）は、映像中に文字列があることを表す。左斜め線でハッチングされたグラフ（例えば、グラフｖ１６）は、映像中に音楽が流れていることを表す。
【００３５】
表示領域Ｒ１３において、選択ボタンＢ１１〜Ｂ１４は、各パラメータの要否を、オペレータが選択可能に表示されている。つまり、ダイジェスト映像は、オペレータに選択されたパラメータ（選択パラメータとも称する）に基づいて生成される。
表示領域Ｒ１４は、選択パラメータに基づいて生成されたダイジェスト映像を表示する表示領域である。
入力領域Ｒ１５は、ダイジェスト映像の合計時間Ｔを入力させる入力領域である。また、「再生」ボタンＢ１５は、選択パラメータ及び入力された合計時間Ｔに基づいて、ダイジェスト映像を表示させるボタンである。「登録」ボタンＢ１６は、生成されたダイジェスト映像を、ダイジェスト映像として登録させるボタンである。
【００３６】
例えば、特徴量として、時系列毎に「どの程度盛り上がっているか」などの値を持つ特徴量や、「ある時刻と時刻の間にある」ことが検出される特徴量を考えられる。前者として「Ｅｘｃｉｔｉｎｇ」や「Ｓａｄ」などの感情を検出しておき、オペレータ画面では、時系列で色のついた棒グラフとして表示する。また後者として「Ｓｕｂｔｉｔｌｅ」（テロップ文字）があるか否か、あるいは「Ｍｕｓｉｃ」（音楽）が流れているか否か、などを検出しておき、オペレータ画面では、時系列で色をつけて表示する。また、オペレータ画面では、合計で何秒の映像とするかを入力するインターフェース（入力領域Ｒ１５）が設られ、与えられた選択パラメータに基づいてダイジェスト映像を再生するための「再生」ボタンＢ１５や、パラメータの登録を実行するための「登録」ボタンＢ１６を配置する。
【００３７】
オペレータは、図６のオペレータ画面の表示に基づいて、表示されたパラメータから一部又は全部のパラメータを選択し、また、ダイジェスト映像の合計時間Ｔを入力する。その後、オペレータが「再生」ボタンＢ１５を押下すると、映像解析部１０３は、オペレータに選択されたパラメータ（選択パラメータ）及び入力された合計時間Ｔを、入力登録部１０１を介して取得する。映像解析部１０３は、取得した選択パラメータ及び合計時間Ｔに基づいて、映像情報からダイジェスト映像及び代表画像を生成する。
【００３８】
具体的には、映像解析部１０３は、選択パラメータの値が最大値になる区間（時間）Ｔ１１を抽出する。抽出した時間Ｔ１１が合計時間Ｔ以上の場合には、映像解析部１０３は、抽出処理を終了する。一方、抽出した時間Ｔ１１が合計時間Ｔより少ない場合には、映像解析部１０３は、選択パラメータの値が次に大きい値になる時間Ｔ１２を抽出する。映像解析部１０３は、抽出した時間の合計値（Ｔ１１＋Ｔ１２）が合計時間Ｔ以上の場合には、映像解析部１０３は、抽出処理を終了する。一方、抽出した時間の合計値が合計時間Ｔより少ない場合には、映像解析部１０３は、選択パラメータの値が次に大きい値になる時間Ｔ１３を抽出する。映像解析部１０３は、抽出した時間の合計値が合計時間Ｔ以上となるまで、この抽出処理を繰り返す。映像解析部１０３は、抽出した時間各々の映像（ダイジェスト映像を構成する映像であり、単にダイジェストとも称する）を選択し、選択したダイジェストを結合することで、ダイジェスト映像を生成する。なお、映像解析部１０３は、ダイジェスト映像の時間が合計時間Ｔと同じになるように、一部のダイジェストを削減してもよい。例えば、映像解析部１０３は、選択パラメータの値が小さいダイジェストから映像の一部を削除することで、ダイジェスト映像の時間が合計時間Ｔと同じにする。
また、映像解析部１０３は、選択パラメータの値が最大値になる時間の映像から静止画を抽出し、抽出した静止画を代表画像とする。
映像解析部１０３は、生成したダイジェスト映像を表示部１０６に表示させる。
【００３９】
図７は、本実施形態に係るオペレータ画面の別の一例を表す概略図である。この図の画面は、図６の画面においてパラメータが選択され、合計時間Ｔが入力された後に、表示される画面である。この画面は、パラメータとその値を表示する表示領域Ｒ１１、Ｒ１２、パラメータを選択させる選択ボタンの表示領域Ｒ１３、ダイジェスト映像の表示領域Ｒ１４、及び、合計時間Ｔの入力領域Ｒ１５を有する。各領域は、図６のものと同じであるので、説明は省略する。
表示領域Ｒ１３では、「Ｅｘｃｉｔｉｎｇ」の選択ボタンＢ１１及び「Ｓｕｂｔｉｔｌｅ」の選択ボタンＢ１３が、オペレータに選択されていることを表す。一方、表示領域Ｒ１３では、ハッチングされた「Ｓａｄ」の選択ボタンＢ１２及び「Ｍｕｓｉｃ」の選択ボタンＢ１４が、選択されていないことを表す。つまり、図７では、選択パラメータとして、「Ｅｘｃｉｔｉｎｇ」と「Ｓｕｂｔｉｔｌｅ」が選択されている。また、入力領域Ｒ１５では、「１５」秒が入力されている。
【００４０】
図７の場合に、映像解析部１０３は、映像情報が表す映像から「Ｓｕｂｔｉｔｌｅ」がある時間のうち、「Ｅｘｃｉｔｉｎｇ」の値が大きい時間を、「１５」秒程抽出することとなる。具体的には、映像解析部１０３は、「Ｅｘｃｉｔｉｎｇ」の値がＴｈ１で表す値以上の時間ｔ１、ｔ２を抽出する。なお、映像解析部１０３は、「Ｓａｄ」が選択されていないため、グラフｖ１３が表す時間ｔ３を抽出しない。また、映像解析部１０３は、「Ｓｕｂｔｉｔｌｅ」が選択されているため、「Ｓｕｂｔｉｔｌｅ」がない、グラフｖ１４が表す時間ｔ３を抽出しない。なお、映像解析部１０３は、各パラメータに関する論理積（例えば、「Ｓｕｂｔｉｔｌｅ」がある時間、かつ、「Ｅｘｃｉｔｉｎｇ」の値がある時間）を用いてダイジェストの時間を抽出しているが、本発明はこれに限らず、例えば、各パラーメータに関する論理和（例えば、「Ｓｕｂｔｉｔｌｅ」がある時間、又は、「Ｅｘｃｉｔｉｎｇ」の値がある時間）や排他的論理和等を用いてもよい。
表示領域Ｒ１４には、生成されたダイジェスト映像（時間ｔ１とｔ２のダイジェストが結合された映像）が表示される。その後、オペレータが「登録」ボタンＢ１６を押下すると、映像解析部１０３は、生成したダイジェスト映像、及び、ダイジェスト映像中のダイジェスト各々について、抽出した時間とその時間の選択パラメータと選択パラメータの値を解析結果記憶部１０５に記憶させる（図１２参照）。ここで、ダイジェスト映像及び代表画像は、ダイジェスト管理テーブルで管理される。
【００４１】
以上のように、映像配信システムでは、例えば、「Ｓｕｂｔｉｔｌｅ」を含む映像でなるべく「Ｅｘｃｉｔｉｎｇ」なシーンを１５秒で再生する、といったパラメータ設定が可能になる。また、配信装置１は、こうして出来たダイジェスト映像の区間（時間）の中から代表画像を選出してもよいし、あるいは改めて代表画像を抽出する区間を選択してから、代表画像を選出するなどしてもよい。配信装置１は、複数の映像に対して、全てこうしたやり方でパラメータの設定とダイジェスト映像又は代表画像を抽出してもよいし、いくつか（例えば３個）の映像を見ながら共通のパラメータを設定し、その組み合わせを他の映像（例えば１００個）にも適用してダイジェスト映像又は代表画像を抽出してもよい。
【００４２】
図５に戻って、配置決定部１０４は、入力登録部１０１が入力された操作情報に従って、解析結果記憶部１０５が記憶する解析結果情報に基づいて、映像の配置を示す配置情報を生成する。
例えば、配置決定部１０４は、映像情報各々について、各パラメータの全時刻での平均値を算出する。配置決定部１０４は、算出した平均値を各パラメータの成分とした座標データを生成する。つまり、配置決定部１０４は、ベクトル空間における各映像の座標データを生成する。配置決定部１０４は、生成した各映像の座標データを、複数のカテゴリに分類する。例えば、配置決定部１０４は、Ｋ−ｍｅａｎｓ法を用いて、座標データを分類する。なお、カテゴリ数は、オペレータが入力してもよいし、予め決められていてもよい。
また、配置決定部１０４は、各映像の座標データを用いて、主成分分析を行う。配置決定部１０４は、カテゴリ毎にそのカテゴリに属する座標データの重心座標を算出し、その重心座標の第１主成分を抽出する。配置決定部１０４は、抽出した第１主成分の値の昇順を、カテゴリの順序（カテゴリ順序とも称する）に決定する。
【００４３】
図８は、本実施形態に係る配置決定部１０４の処理を説明する説明図である。この図において、破線の座標軸は、ベクトル空間を示す。点は、座標データを表し、映像に対応する。この図は、３つのカテゴリＣ１〜Ｃ３に分類されたことを表す。カテゴリＣ１、Ｃ２、Ｃ３の重心座標は、それぞれ、座標Ｇ１、Ｇ２、Ｇ３である。座標軸Ｍ１、Ｍ２は、主成分を表し、例えば、座標軸Ｍ１が第１主成分である。座標Ｇ１、Ｇ２、Ｇ３の第１主成分は、それぞれ、Ｓ１、Ｓ２、Ｓ３である。つまり、配置決定部１０４は、各カテゴリを第１主成分の値の昇順に並べることで、カテゴリＣ１、Ｃ２、Ｃ３の順序（カテゴリ順序）を、それぞれ、１番目、２番目、３番目とする。
【００４４】
配置決定部１０４は、カテゴリ毎に、そのカテゴリに属する座標データを抽出する。配置決定部１０４は、抽出した座標データに基づいて、カテゴリ内順序を決定する。例えば、配置決定部１０４は、抽出した座標データを用いて、主成分分析を行う。配置決定部１０４は、座標データを、第１主成分と第２主成分の平面に写像する。配置決定部１０４は、写像した座標データの重心座標を算出する。配置決定部１０４は、算出した重心座標を原点とする極座標において、偏角が小さい順序を、カテゴリ内順序に決定する。
【００４５】
図９は、本実施形態に係る配置決定部１０４の処理を説明する別の説明図である。この図において、点は、カテゴリＣ１に属する座標データを表す。座標軸Ｍ１１、Ｍ１２は、カテゴリＣ１に属する座標データについての主成分を表し、例えば、座標軸Ｍ１１が第１主成分、座標軸Ｍ１２が第２主成分である。座標データの重心座標は、座標Ｇ１１である。偏角θ１は、座標Ｘ０の偏角を０とした場合における、座標Ｘ１の偏角を表す。なお、偏角を０とする座標は、他の座標データの座標であってもよいし、予め定められた座標であってもよい。１つの破線の矢印は、カテゴリ内順序における前後関係を示す。つまり、破線の矢印を辿る順序が、カテゴリＣ１におけるカテゴリ内順序を表している。
なお、配置決定部１０４は、１つの主成分又は３つ以上の主成分に基づいて、カテゴリ内順序を決定してもよい。例えば、配置決定部１０４は、カテゴリ各々の座標データについて、第１主成分を算出し、算出した第１主成分の値の昇順を、カテゴリ内順序に決定してもよい。
【００４６】
図５に戻って、配置決定部１０４は、決定したカテゴリ順序、及びカテゴリ内順序を含む配置情報（図１３）を生成する。配置決定部１０４は、生成した配置情報を解析結果記憶部１０５に記憶させる。
【００４７】
表示部１０６は、解析結果記憶部１０５が記憶するダイジェスト映像又は配置情報を表示する。なお、オペレータは、この表示を参照して、ダイジェスト映像又は配置情報を登録するか、別のダイジェスト映像又は配置情報を生成させるか、を判定する。オペレータは、判定結果を示す操作を行うことで、この操作内容を示す操作情報を入力登録部１０１へ入力する。
通信部１０７は、制御装置２から受信した要求に基づいて、映像記憶部１０２から映像及びメタデータを読み出し、又は、解析結果記憶部１０５からダイジェスト映像或いは配置情報を読み出す。通信部１０７は、読み出した情報を、制御装置２へ送信する。
【００４８】
図１０は、本実施形態に係る管理テーブルの一例を示す概略図である。図示するように管理テーブルは、映像識別情報、映像ファイル、及びメタデータファイルの各項目の列を有している。ここで、映像ファイルは映像情報のファイル名であり、メタデータファイルはメタデータのファイル名である。管理テーブルは、映像識別情報毎に、管理情報を有するテーブルである。例えば、図１０の１行目の管理情報は、映像識別情報「００００１」が示す映像情報は、映像情報ファイルが「００００１．ＸＸＸ」であり、メタデータファイルが「Ｍ００００１．ＸＸＸ」であることを表す。
【００４９】
図１１は、本実施形態に係る解析結果情報の一例を示す概略図である。この解析結果情報は、ある１つの映像の解析結果情報である。図示するように解析結果情報は、パラメータ、抽出時間、及び値の各項目の列を有している。
例えば、図１１の解析結果情報は、映像情報が表す映像の時刻４秒から１３秒までの映像について、「Ｅｘｃｉｔｉｎｇ」の値が「９」であることを表す。また、この解析結果情報は、映像情報が表す映像の時刻４秒から１７秒までの映像について、「Ｓｕｂｔｉｔｌｅ」がある、つまり、映像中に文字列が出現していることを表す。
【００５０】
図１２は、本実施形態に係るダイジェスト管理テーブルの一例を示す概略図である。図示するようにダイジェスト管理テーブルは、映像識別情報、ダイジェスト映像ファイル、代表画像ファイル、ダイジェスト１、及びダイジェスト２の各項目の列を有している。ここで、ダイジェスト映像ファイルはダイジェスト映像のファイル名であり、代表画像ファイルは代表画像のファイル名である。ダイジェスト映像ファイルのダイジェスト映像は、ダイジェストｍ（ｍ＝１、２、・・・）が示す映像を結合した映像である。ダイジェストｍは、抽出時間の項目を有する。抽出時間は、ダイジェストが映像中のどの区間（時間）の映像であるかを表す。ダイジェスト管理テーブルは、映像識別情報毎に、ダイジェスト管理情報を有するテーブルである。
【００５１】
例えば、図１２の１行目のダイジェスト管理情報は、映像識別情報「００００１」が示す映像情報は、対応するダイジェスト映像ファイルが「Ｄ００００１．ＸＸＸ」であり、代表画像ファイルが「Ｐ００００１．ＸＸ」であることを表す。また、このダイジェスト管理情報は、ファイル名が「Ｄ００００１．ＸＸＸ」のダイジェスト映像は、映像識別情報「００００１」の映像のうち、時刻４秒から１３秒の映像と、時刻１３秒から２１秒の映像と、が結合された映像であることを表す。
【００５２】
図１３は、本実施形態に係る配置情報の一例を示す概略図である。図示するように配置情報は、カテゴリ、カテゴリ内順序、映像識別情報、ダイジェスト映像ファイル、及び代表画像ファイルの各項目の列を有している。ここで、カテゴリＣｎ（ｎ＝１、２、・・・）のｎは、カテゴリ順序を表す。
例えば、図１３の配置情報は、カテゴリ「Ｃ１」でカテゴリ内順序が「１」番目の映像は、映像識別情報「００００３」であり、そのダイジェスト映像ファイルが「Ｄ００００３．ＸＸＸ」であり、代表画像ファイルが「Ｐ００００３．ＸＸ」であることを表す。
【００５３】
図１４は、本実施形態に係るダイジェスト映像及び代表画像の登録に関するフローチャートである。
（ステップＳ３０１）オペレータは、映像情報を入力する。その後、ステップＳ３０２へ進む。
（ステップＳ３０２）配信装置１は、映像情報を記憶することで、映像を登録する。ここで、入力登録部１０１は、入力された映像情報を示す映像識別情報を生成する。入力登録部１０１は、生成した映像識別情報と映像情報ファイルを対応付けた管理情報を生成し、生成した管理情報を管理テーブルに格納する。その後、ステップＳ３０３へ進む。
【００５４】
（ステップＳ３０３）配信装置１は、ステップＳ３０２で登録された映像情報を解析することで、映像の特徴量を複数抽出する。配信装置１は、抽出した特徴量を解析結果情報（図１１）として記憶する。その後、ステップＳ３０４へ進む。
（ステップＳ３０４）配信装置１は、ステップＳ３０３で記憶された解析結果情報に基づいて、映像の特徴量をパラメータとして表示する（図６参照）。その後、ステップＳ３０５へ進む。
【００５５】
（ステップＳ３０５）オペレータは、ステップＳ３０４で表示されたパラメータから一部又は全部のパラメータを選択し、また、ダイジェスト映像の合計時間Ｔを入力する。その後、ステップＳ３０６へ進む。
（ステップＳ３０６）配信装置１は、ステップＳ３０５で入力されたパラメータ（選択パラメータ）及び合計時間Ｔに基づいて、映像情報からダイジェスト映像及び代表画像を生成する。その後、ステップＳ３０７へ進む。
【００５６】
（ステップＳ３０７）配信装置１は、ステップＳ３０７で生成したダイジェスト映像及び代表画像を表示する。また、配信装置１は、このダイジェスト映像及び代表画像を登録するか否かを選択させるボタンを表示する。その後、ステップＳ３０８へ進む。
（ステップＳ３０８）オペレータは、ステップＳ３０７で表示されたダイジェスト映像及び代表画像を登録するか否かを判断する。ダイジェスト映像及び代表画像を登録すると判断した場合（ＹＥＳ）、オペレータはステップＳ３０７で表示されたボタンのうち登録ボタンＢ１６を押下し、ステップＳ３０９へ進む。一方、ダイジェスト映像及び代表画像を登録しないと判断した場合（ＮＯ）、オペレータは、例えばパラメータを再度選択して、ステップＳ３０７で表示されたボタンのうち再生ボタンＢ１５を押下し、ステップＳ３０５へ戻る。
（ステップＳ３０９）配信装置１は、ステップＳ３０８で登録すると判断されたダイジェスト映像及び代表画像を記憶することで、ダイジェスト映像及び代表画像を登録する。その後、図１４の動作を終了する。
【００５７】
図１５は、本実施形態に係る配置情報の登録に関するフローチャートである。
（ステップＳ４０１）配信装置１は、図１４のステップＳ３０３で記憶された解析結果情報を読み込む。つまり、配信装置１は、図１４のステップＳ３０３で抽出された特徴量を読み込む。その後、ステップＳ４０２へ進む。
【００５８】
（ステップＳ４０２）オペレータは、パラメータを入力する。例えば、オペレータは、カテゴリ数を入力する。その後、ステップＳ４０３へ進む。
（ステップＳ４０３）配信装置１は、ステップＳ４０１で読み込んだ解析結果情報、及び、ステップＳ４０２で入力されたパラメータに基づいて、複数の映像情報をカテゴリに分類し、カテゴリ内順序を決定する。配信装置１は、決定した分類及びカテゴリ内順序に基づいて、配置情報を生成する。すなわち、配信装置１は、映像同士の配置を示す配置情報を生成する。その後、ステップＳ４０４へ進む。
【００５９】
（ステップＳ４０４）配信装置１は、ステップＳ４０３で生成した配置情報が示す配置で、映像を並べて表示する。また、配信装置１は、この配置情報を登録するか否かを選択させるボタンを表示する。その後、ステップＳ４０５へ進む。
このように、Ｓ４０３では、例えば映像の感情の特徴量を正規化して映像同士の類似度を算出し、Ｓ４０４では、類似した映像群をまとめて同じ行に配置する。つまり、複数のカテゴリに分類して複数の行を出力し、上下左右などの入力で操作可能にする。なお、この場合、どの特徴量を用いるか、どの程度の類似で同じグループとして分類するか、などがパラメータとなる。このパラメータは、予め定められた固定でもよいものとし、登録まで自動で行ってもよい。
【００６０】
（ステップＳ４０５）オペレータは、ステップＳ４０４で表示された配置を示す配置情報を登録するか否かを判断する。配置情報を登録すると判断した場合（ＹＥＳ）、オペレータはステップＳ４０４で表示されたボタンのうち「登録する」ことを表すボタンを押下し、ステップＳ４０６へ進む。一方、配置情報を登録しないと判断した場合（ＮＯ）、オペレータはステップＳ４０４で表示されたボタンのうち「登録しない」（別の配置情報を生成する）ことを表すボタンを押下し、ステップＳ４０２へ戻る。
（ステップＳ４０６）配信装置１は、ステップＳ４０５で登録すると判断された配置情報を記憶することで、配置情報を登録する。その後、図１５の動作を終了する。
【００６１】
図１６は、本実施形態に係る制御装置２の構成を示す概略ブロック図である。この図において、制御装置２は、通信部２０１、情報記憶部２０２、入力部２０３、及び表示制御部２０４を含んで構成される。
【００６２】
通信部２０１は、配信装置１と通信を行う。例えば、通信部２０１は、入力部２０３から入力された操作情報に基づいて、配信装置１へ情報を要求する。通信部２０１は、要求の結果、受信した情報（例えば、配置情報とダイジェスト映像情報と代表画像情報、又は、映像情報）を、情報記憶部２０２に記憶させる。
入力部２０３は、利用者からの操作内容を示す操作情報を、通信部２０１及び表示制御部２０４へ出力する。
表示制御部２０４は、入力部２０３から入力された操作情報に基づいて、情報記憶部２０２が記憶する情報が示す映像又は画像を、表示装置４に表示させる。
【００６３】
このように、本実施形態では、映像解析部１０３は、映像を解析することで、映像の特徴量を抽出する。入力登録部１０１は、選択された映像の特徴量を示す選択パラメータを取得する。映像解析部１０３は、抽出した特徴量であって映像解析部１０３が取得した選択パラメータが示す特徴量に基づいて、映像からダイジェスト映像又は代表画像を抽出する。これにより、映像配信システムでは、人手による膨大な稼動を必要とすることなく、速覧に適した映像又は画像を抽出できる。
例えば、映像配信システムでは、例えば映画のエンドロールの音楽に強く反応してしまい、その部分のみからダイジェストを生成したり、爆発音の多い映画であれば爆発音だけを抽出してしまったりすることを防止できる。このように、映像配信システムでは、例えば音の大きいシーン等、特定部分の映像が多く抽出され、映像から得られる情報に偏りが生じることを防止できる。
【００６４】
また、本実施形態では、入力登録部１０１は、オペレータからの入力に基づいて、オペレータが選択した選択パラメータを取得する。また、表示部１０６は、映像解析部１０３が抽出したダイジェスト映像又は代表画像を表示する。映像解析部１０３は、オペレータからの入力に基づいて、抽出したダイジェスト映像又は代表画像を、映像の要約として決定する。これにより、映像配信システムでは、映像から自動で抽出できる様々な特徴量を解析しておき、オペレータが予めいくつかの組み合わせを試して視聴した上で、組み合わせのパラメータを決定し、決定したパラメータに従ってダイジェスト映像や代表画像を抽出できる。このように、映像配信システムでは、オペレータが見てチェックを行った上でダイジェスト映像や代表画像を生成するので、速覧に適した映像を生成することが可能になる。またオペレータは、映像から自動抽出される特徴を組み合わせることによって、ダイジェスト映像や代表画像を生成するので高速に生成することが可能になる。
なお、配信装置１は、予め選択された選択パラメータを記憶し、入力登録部１０１がこの選択パラメータを読み出すことで、選択パラメータを取得してもよい。
【００６５】
また、本実施形態では、配置決定部１０４（分類部）は、映像解析部１０３が抽出した特徴量に基づいて、複数の映像をカテゴリに分類し、複数の映像の一部が属するカテゴリとカテゴリ内での映像の順序とを決定する。これにより、映像配信システムでは、カテゴリ毎に分類して、映像を配置して提供でき、利用者が所望の映像を迅速に選択できる。
また、本実施形態では、制御装置２及び表示装置４は、垂直方向（第１の方向）で、配信装置１が決定したカテゴリを選択できるように映像を配置し、水平方向（第２の方向）で、グループ内での映像の順序で映像を選択できるように映像を配置する。これにより、利用者は、上下左右などのボタンしか用意されていない入力装置３であっても、利用者は容易に操作でき、所望の映像を迅速に検索することができる。
【００６６】
なお、上記実施形態において、配信装置１は、配置決定部１０４が変換した座標データであって、映像情報の解析結果の座標データを、制御装置２へ送信してもよい。この場合、制御装置２は、例えば利用者からの入力に従って、カテゴリ数を決定する。制御装置２は、送信された座標データと、決定したカテゴリ数と、に基づいて、主成分分析を行う。制御装置２は、上記の配置決定部１０４と同様の処理を行うことで、映像の配置を示す配置情報を生成する。
これにより、映像配信システムでは、利用者がカテゴリの分類を調整できる。また、配信装置１と制御装置２は、座標データを送受信するので、メタデータを送信する場合と比較して、送受信の容量を低減できる。また、配信装置１がメタデータを座標データに変換するので、制御装置２がｔｆ−ｉｄｆ法を用いた処理を実装しなくても、映像の配置を決定できる。
【００６７】
また、上記実施形態において、配置決定部１０４は、選択パラメータを成分とするベクトル空間における各映像の座標データを用いて、主成分分析を行ってもよい。この場合、配置決定部１０４は、変換後の座標データを、複数のカテゴリに分類する。また、映像情報の解析結果の座標データが配信装置１から制御装置２へ送信される場合、座標データは、選択パラメータを成分とするベクトル空間における各映像の座標データであってもよい。
なお、上記実施形態において、オペレータは、映像又は画像の配信者に対して、映像又は画像を提供する者であってもよい。
【００６８】
なお、上述した実施形態における配信装置１、制御装置２の一部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、配信装置１又は制御装置２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における配信装置１及び制御装置２の一部、または全部を、ＬＳＩ（Ｌａｒｇｅ  Ｓｃａｌｅ  Ｉｎｔｅｇｒａｔｉｏｎ）等の集積回路として実現しても良い。配信装置１及び制御装置２の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００６９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００７０】
１・・・配信装置、２・・・制御装置、３・・・入力装置、４・・・表示装置、１０１・・・入力登録部、１０２・・・映像記憶部、１０３・・・映像解析部、１０４・・・配置決定部、１０５・・・解析結果記憶部、１０６・・・表示部、１０７・・・通信部、２０１・・・通信部、２０２・・・情報記憶部、２０３・・・入力部、２０４・・・表示制御部
【図１】
2013258638.tif 000003
【図２】
2013258638.tif 000004
【図３】
2013258638.tif 000005
【図４】
2013258638.tif 000006
【図５】
2013258638.tif 000007
【図６】
2013258638.tif 000008
【図７】
2013258638.tif 000009
【図８】
2013258638.tif 000010
【図９】
2013258638.tif 000011
【図１０】
2013258638.tif 000012
【図１１】
2013258638.tif 000013
【図１２】
2013258638.tif 000014
【図１３】
2013258638.tif 000015
【図１４】
2013258638.tif 000016
【図１５】
2013258638.tif 000017
【図１６】
2013258638.tif 000018